(57)【要約】【課題】  本発明は、一つの空間を複数の者が分け合って同時に同じ装置の使用、または異なる装置を使用できる場所があり、一つの空間に友人どうしが集まって何かを行うことで、お互いに連帯感やコミニュケーションを持つようにすることができる。【解決手段】  本発明のスペースシェアリングスポットは、テレビジョン、パーソナルコンピュータ、ＤＶＤプレーヤー、ビデオプレーヤー、ＣＤプレーヤー、ゲーム装置、カラオケ装置等に同時に複数の者が使用できる出力部が備えられており、一つの装置を多くの者が共有できる状態にすることで、各自が好きなことを勝手に行うことができる。【選択図】    図１
2005249836.tif 000002
【特許請求の範囲】
【請求項１】
一つの空間を複数の者が分け合って同時に使用できる場所があり、
前記場所に、テレビジョン、パーソナルコンピュータ、ＤＶＤプレーヤー、ビデオプレーヤー、ＣＤプレーヤー、ゲーム装置、カラオケ装置、ディスプレイ、公衆電話回線、有線回線、無線回線の内の任意のものが複数個同時に動作できるように接続されていると同時に、大型スクリーン、リラクゼーション装置、室内浄化装置、および調度品が設置されており、
前記装置の内の一部のものは、同時に複数の者が使用できる出力部が備えられており、
各自が好きなことを自由に行うことができることを特徴とするスペースシェアリング方法。
【請求項２】
前記空間を使用する人数、使用装置等を入力することにより、人数と目的に合った空間が選択されることを特徴とする請求項１に記載されたスペースシェアリング方法。
【請求項３】
前記空間の大きさ、使用する者の数、使用する装置、使用時間によってそれぞれ異なる費用がチャージされることを特徴とする請求項１または請求項２に記載されたスペースシェアリング方法。
【請求項４】
前記費用は、時間帯、曜日、季節等によって異なることを特徴とする請求項１から請求項３のいずれか１項に記載されたスペースシェアリング方法。
【請求項５】
前記一部の装置は、有線回線または無線回線によって音楽、音声、画像の内の少なくとも一つが配信されて来ることを特徴とする請求項１から請求項４のいずれか１項に記載されたスペースシェアリング方法。
【請求項６】
前記場所には、有線回線または無線回線によって本、雑誌、新聞の内の少なくとも一つが配信されて来ることを特徴とする請求項１から請求項５のいずれか１項に記載されたスペースシェアリング方法。
【請求項７】
一つの空間を複数の者が分け合って同時に使用できるスペースシェアリングスポットと、
前記スポット内に任意のものが複数個同時に動作できるように接続されているテレビジョン、パーソナルコンピュータ、ＤＶＤプレーヤー、ビデオプレーヤー、ＣＤプレーヤー、ゲーム装置、カラオケ装置、ディスプレイ、公衆電話回線、有線回線、無線回線と、
前記スポット内に設置されている大型スクリーン、リラクゼーション装置、室内浄化装置、および調度品と、
前記装置の内の一部に備えられて、同時に複数の者が使用できる出力部と、
を少なくとも備えることにより、各自が好きなことを勝手に行うことができることを特徴とするスペースシェアリングスポット。
【請求項８】
前記一部の装置は、複数のヘッドホンが取り付けられる出力部を備えていることを特徴とする請求項７に記載されたスペースシェアリングスポット。
【請求項９】
前記空間の大きさ、使用する者の数、使用する装置、使用時間を入力する入力手段と、
前記空間の大きさ、設備、および使用人数による単価記憶手段と、
装置で使用するソフトウエアの単価が記憶されているアイテム単価記憶手段と、  
前記入力手段、単価記憶手段、およびアイテム単価記憶手段からの情報を基にして使用料金を演算する料金演算手段と、
を少なくとも備えていることを特徴とする請求項７または請求項８に記載されたスペースシェアリングスポット。
【請求項１０】
使用時間入力手段と、
前記使用時間入力手段に基づく時間により追加料金を演算する追加料金演算手段と、
を少なくとも備えていることを特徴とする請求項７から請求項９のいずれか１項に記載されたスペースシェアリングスポット。
【請求項１１】
時間帯、曜日、季節等によって異なる料金を演算する特別料金演算手段を備えていることを特徴とする請求項７から請求項１０のいずれか１項に記載されたスペースシェアリングスポット。
【請求項１２】
前記一部の装置は、携帯電話機の暗証番号により配信センターに接続されることを特徴とする請求項７から請求項１１のいずれか１項に記載されたスペースシェアリングスポット。
【請求項１３】
配信された情報を記憶する記憶手段と、
前記配信された情報の価格が記憶されている単価記憶手段と、
前記単価記憶手段の価格を基にして、前記配信された情報の料金を演算する料金演算手段と、
を備えていることを特徴とする請求項７から請求項１２のいずれか１項に記載されたスペースシェアリングスポット。
【請求項１４】
前記空間は、移動ができるようになっていることを特徴とする請求項７から請求項１３のいずれか１項に記載されたスペースシェアリングスポット。
【請求項１５】
人数入力手段と、使用装置入力手段と、部屋の利用状況記憶手段とからの情報に基づいて、部屋が選択されるとともに、当該部屋のロックが解錠される部屋ロック解錠手段とを備えている請求項７から請求項１４のいずれか１項に記載されたスペースシェアリングスポット。
【発明の詳細な説明】
【技術分野】
【０００１】
本発明は、一つの空間を複数の者が分け合って同時に同じ装置の使用、または異なる装置を使用できる場所があり、一つの空間に友人や家族どうしが集まって何かを行うことで、お互いの連帯感やコミニュケーションを持つようにすることができるスペースシェアリング方法およびスペースシェアリングスポットに関するものである。
【０００２】
本発明は、集まった者どうし思い切り大きな声で歌ったり、あるいは遊んだりすることにより、一つの空間を共有しながらコミニュケーションを図り、友人や家族の絆を強めることができるスペースシェアリング方法およびスペースシェアリングスポットに関するものである。
【背景技術】
【０００３】
従来のカラオケ再生装置およびシステムは、電話網などの通信媒体を利用した通信カラオケシステムの利点に加えて、ディジタル多チャネル放送を利用して背景映像サービスの娯楽性や充実度を飛躍的に高めたものがある。前記カラオケシステムは、たとえば、特開平１０−１２４０７９号公報がある。
【０００４】
また、従来の客室間コミニュケーション機能を有するカラオケＬＡＮシステムは、テレビ会議システムによる客室間コミニュケーションを積極的に楽しめるように、見知らぬ顧客どうしを結びつける仲介機能を持たせている。前記カラオケシステムは、たとえば、特開平１１−１８４４８５号公報がある。
【０００５】
さらに、従来のカラオケシステムは、既存の通信カラオケシステムに加えて、インターネット技術による情報提供サービスやインターネット上のビジネスモデルをカラオケビジネスと融合させた形で客室から利用できるようになっている。前記カラオケ集合システムは、たとえば、特開２００２−１８９４８４号公報がある。
【０００６】
その他、同様なカラオケシステムは、たとえば、特開２００３−４４０６４号公報、特開２００３−４６９６７号公報がある。
【特許文献１】特開平１０−１２４０７９号公報
【特許文献２】特開平１１−１８４４８５号公報
【特許文献３】特開２００２−１８９４８４号公報
【特許文献４】特開２００３−４４０６４号公報
【特許文献５】特開２００３−４６９６７号公報
【発明の開示】
【発明が解決しようとする課題】
【０００７】
前記特許文献１から特許文献５に記載されたカラオケシステムは、カラオケ会場等において、カラオケを歌うものであり、歌の嫌いなものにとって、何の興味もなく、また、大勢の者が全て参加できるか否か問題がある。
【０００８】
最近の若者は、少子化のせいか、一人でいたり、あるいは孤立することが怖く、多くの者どうしが群れることにより、疎外されないことを望む者が多くなって来た。一方、前記若者は、趣味、楽しみ方が多様化し、大勢の者が一緒になる空間が少なくなっている。また、退職後の人生を堪能しているはずのお年寄りは、大勢集まってストレスを解消する場所がカラオケ以外に少なく、大声で歌ったり、体を動かすことが嫌いであると、うつ病化する傾向がある。
【０００９】
さらに、家族は、皆で大きな声を出して遊んだり、コミニュケーションを図る空間がなく、家の中でも、音を低くして各自の部屋にこもり、思い思いのことを行なうようになり、連帯感やコミニュケーション等が欠けてきている。
【００１０】
以上のような課題を解決するために、本発明は、一つの空間を複数の者が分け合って同時に同じ装置の使用、または異なる装置を協働で使用でき、お互いの連帯感やコミニュケーションを持つことができるスペースシェアリング方法およびスペースシェアリングスポット（ボックス）を提供することを目的とする。
【００１１】
本発明は、若きも老いも集まった者どうしが思い切り大きな声で歌ったり、あるいは遊んだりするだけでなく、一つの空間を共有しながらコミニュケーションを図り、友人や家族の絆を強めることができるスペースシェアリング方法およびスペースシェアリングスポットを提供することを目的とする。
【００１２】
本発明は、何らかの関係を持つ者どうしが一つの空間に入り、同じまたは異なる事を行なって、仲間あるいは家族の一員であることを互いに意識できるスペースシェアリング方法およびスペースシェアリングスポットを提供することを目的とする。
【課題を解決するための手段】
【００１３】
（第１発明）
第１発明のスペースシェアリング方法は、一つの空間を複数の者が分け合って同時に使用できる場所があり、前記場所に、テレビジョン、パーソナルコンピュータ、ＤＶＤプレーヤー、ビデオプレーヤー、ＣＤプレーヤー、ゲーム装置、カラオケ装置、ディスプレイ、公衆電話回線、有線回線、無線回線の内の任意のものが複数個同時に動作できるように接続されていると同時に、大型スクリーン、リラクゼーション装置、室内浄化装置、および調度品が設置されており、前記装置の内の一部のものは、同時に複数の者が使用できる出力部が備えられており、各自が好きなことを自由に行うことができることを特徴とする。
【００１４】
（第２発明）
第２発明のスペースシェアリング方法は、空間を使用する人数、使用装置等を入力することにより、人数と目的に合った空間が選択されることを特徴とする。
【００１５】
（第３発明）
第３発明のスペースシェアリング方法は、空間の大きさ、使用する者の数、使用する装置、使用時間によってそれぞれ異なる費用がチャージされることを特徴とする。
【００１６】
（第４発明）
第４発明のスペースシェアリング方法において、費用は、時間帯、曜日、季節等によって異なることを特徴とする。
【００１７】
（第５発明）
第５発明のスペースシェアリング方法において、一部の装置は、有線または無線によって音楽、音声、画像の内の少なくとも一つが配信されて来ることを特徴とする。
【００１８】
（第６発明）
第６発明のスペースシェアリング方法において、当該場所には、有線回線または無線回線によって本、雑誌、新聞の内の少なくとも一つが配信されて来ることを特徴とする。
【００１９】
（第７発明）
第７発明は、一つの空間を複数の者が分け合って同時に使用できるスペースシェアリングスポットと、前記スポット内に任意のものが複数個同時に動作できるように接続されているテレビジョン、パーソナルコンピュータ、ＤＶＤプレーヤー、ビデオプレーヤー、ＣＤプレーヤー、ゲーム装置、カラオケ装置、ディスプレイ、公衆電話回線、有線回線、無線回線と、前記スポット内に設置されている大型スクリーン、リラクゼーション装置、室内浄化装置、および調度品と、前記装置の内の一部に備えられて、同時に複数の者が使用できる出力部と、を少なくとも備えることにより、各自が好きなことを勝手に行うことができることを特徴とする。
【００２０】
（第８発明）
第８発明は、第７発明のスペースシェアリングスポットにおいて、一部の装置に複数のヘッドホンが取り付けられる出力部を備えていることを特徴とする。
【００２１】
（第９発明）
第９発明は、第７発明のスペースシェアリングスポットにおいて、空間の大きさ、使用する者の数、使用する装置、使用時間を入力する入力手段と、前記空間の大きさ、設備、および使用人数による単価記憶手段と、装置で使用するソフトウエアの単価が記憶されているアイテム単価記憶手段と、前記入力手段、単価記憶手段、およびアイテム単価記憶手段からの情報を基にして使用料金を演算する料金演算手段と、を少なくとも備えていることを特徴とする。
【００２２】
（第１０発明）
第１０発明は、第７発明のスペースシェアリングスポットにおいて、使用時間入力手段と、前記使用時間入力手段に基づく時間により追加料金を演算する追加料金演算手段と、を少なくとも備えていることを特徴とする。
【００２３】
（第１１発明）
第１１発明は、第７発明のスペースシェアリングスポットにおいて、時間帯、曜日、季節等によって異なる料金を演算する特別料金演算手段を備えていることを特徴とする。
【００２４】
（第１２発明）
第１２発明は、第７発明のスペースシェアリングスポットにおいて、一部の装置が携帯電話機の暗証番号により配信センターに接続されることを特徴とする。
【００２５】
（第１３発明）
第１３発明は、第７発明のスペースシェアリングスポットにおいて、配信された情報を記憶する記憶手段と、前記配信された情報の価格が記憶されている単価記憶手段と、前記単価記憶手段の価格を基にして、前記配信された情報の料金を演算する料金演算手段と、を備えていることを特徴とする。
【００２６】
（第１４発明）
第１４発明は、第７発明のスペースシェアリングスポットにおいて、空間が移動できるようになっていることを特徴とする。
【００２７】
（第１５発明）
第１５発明は、第７発明のスペースシェアリングスポットにおいて、人数入力手段と、使用装置入力手段と、部屋の利用状況記憶手段とからの情報に基づいて、部屋が選択されるとともに、当該部屋のロックが解錠される部屋ロック解錠手段とを備えていることを特徴とする。
【発明の効果】
【００２８】
本発明によれば、友達、会社の同僚、あるいは、家族が集まって、誰にも気兼ねすることなく、各自の思うことを勝手に行なうことができるとともに、互いに連帯感を持ったり、また、コミニュケーションを交わすことができ、安心感、癒し、解放感を持ち、リラクゼーション等を達成することができる。
【００２９】
本発明によれば、多様な人数、多様な好みに対応できる装置と大きさを備えた空間を使用する場合、使用者は、空間の大きさと装置の種類、ソフトウエア等を選択することによって、異なる費用を一番合理的、かつ経済的に決定することができる。すなわち、本発明は、ハードウエア（空間と装置）を備えることにより、人手を少なくしてビジネスを行うことができる。
【００３０】
本発明によれば、空間を使用する時間帯、曜日、季節等によって、利用価格を変えることにより、利用者および経営者にとって合理的な料金とすることができる。
【００３１】
本発明によれば、有線回線または無線回線を介して音楽、音声、画像、本、雑誌、新聞等の内の少なくとも一つが配信されて来るので、各自が好みのものを楽しむことができ、必要ならば、ＣＤやＤＶＤ等に記憶させて、その料金を最後または携帯電話機、パーソナルコンピュータ等によって、契約している会社から引き落とすことができる。
【００３２】
本発明によれば、スペースシェアリングスポットにおいて、複数の者が集まることにより、お互いの連帯感や会話を楽しみながら、各自が好きなことを勝手に行うことができる。すなわち、仲間あるいは家族どうしは、騒音の中の静けさとして、集中ができる。
【００３３】
本発明によれば、スペースシェアリングスポットを多目的に多数の者が利用するため、複雑な料金の計算であっても、単価記憶手段やアイテム単価記憶手段を設けることにより、複雑な料金の演算が容易にできる。
【００３４】
本発明によれば、利用状況が把握できるため、経営者および利用者の両方にとって良い料金設定が可能である。すなわち、料金の設定は、経営者にとって適正な料金であり、利用者にとって合理的な料金の設定が可能である。
【発明を実施するための最良の形態】
【００３５】
（第１発明）
第１発明のスペースシェアリング方法は、一つの空間を複数の者が分け合って同時に同じ装置の使用、または異なる装置を使用できる場所があり、一つの空間に友人どうしが集まって何かを行うことで、お互いに連帯感やコミニュケーションを持つようにすることができる。また、前記スペースシェアリング方法は、家族が集まって思い切り大きな声で歌ったり、あるいは遊んだりしているその側で、ヘッドホンをかけた子供が受験勉強をし、食事を一緒にして、家族の絆を強めるとともにコミニュケーションもできるというものである。
【００３６】
一つの空間である、閉鎖された部屋には、たとえば、周囲にテレビジョン、パーソナルコンピュータ、ＤＶＤプレーヤー、ビデオプレーヤー、ＣＤプレーヤー、ゲーム装置、カラオケ装置、ディスプレイ等が設置されているとともに、公衆電話回線、有線回線、無線回線を利用してこれらの内の任意のものが複数個同時に動作できるように接続されている。
【００３７】
公衆電話回線、有線回線、無線回線からは、携帯電話を介した情報、契約された特定センターからの情報、契約された特定電波による放送、通常のテレビジョン放送等が配信される。前記空間には、大型スクリーンが壁面に取り付けられ、部屋の中頃にリラクゼーション装置、室内浄化装置（たとえば、マイナスイオン発生装置、たばこ消臭装置、防音装置等）、テーブル、椅子等の調度品が設置されている。
【００３８】
テレビジョン、パーソナルコンピュータ、ＤＶＤプレーヤー、ビデオプレーヤー、ＣＤプレーヤー、ゲーム装置、カラオケ装置は、同時に複数の者が使用できる出力部が備えられており、一つの装置を多くの者が共有できる状態にすることで、各自が好きなことを勝手に行うことができる。
【００３９】
ある者は、テレビジョンでニュースを見、ある者は、パーソナルコンピュータをインターネットに接続し、ある者は、ＤＶＤプレーヤーを用いて、大型スクリーンに投影した映画を見、ある者は、カラオケを歌い、各自が勝手に好きなことを誰にもお構いなく思う存分行うことができる。
【００４０】
しかし、同じ空間にいる者は、友達であったり、家族、兄弟であり、狭い自宅でコセコセするのではなく、リラックスしながら、十二分に楽しんだり、勉強することができるだけでなく、互いに連帯感を味わったり、あるいはコミニュケーションを交わすことができる。前記同じ空間にいる者は、前記空間を共有し、同じ仲間とし一緒に使用することができる。
【００４１】
（第２発明）
第２発明のスペースシェアリング方法に使用される空間は、多目的であるため、多様な人数、多様な好みに対応できる装置と大きさを備えておくことが必要である。そこで、前記空間を使用する場合、使用者は、前記空間を使用する人数、使用装置等を入力することにより、人数と目的に合った空間が選択される。すなわち、第２発明は、空間の大きさと装置の種類によって、設備費が異なるため、一番合理的、かつ経済的な空間と装置等を選択することができる。
【００４２】
（第３発明）
第３発明のスペースシェアリング方法は、使用する空間の大きさ、使用する者の数、使用する装置、使用時間によってそれぞれ異なる費用がチャージされ、価格が合理的に決定されるようになっている。
【００４３】
（第４発明）
第４発明は、時間帯、曜日、季節等によって、空間や装置が空いている場合、少人数で大きな空間を安価に利用できるようにすることもできる。第４発明は、利用者が多い場合は、料金が高く、利用者が少ない場合は、料金を安価にすることにより、合理的な料金としている。
【００４４】
（第５発明）
第５発明のスペースシェアリング方法は、一部の装置に、たとえば、パーソナルコンピュータ、カラオケ装置等に有線回線または無線回線を介して音楽、音声、画像の内の少なくとも一つが配信されて来るようにする。
【００４５】
（第６発明）
第６発明のスペースシェアリング方法は、有線回線または無線回線によって、部屋に本、雑誌、新聞、その他の本等が所望により貸し出しされる。使用者は、映画を見た後に、食事をしながら話しに興じたり、あるいは漫画を一人で楽しむ等、勝手な行動を同じ空間で行うことができる。
【００４６】
（第７発明）
第７発明のスペースシェアリングスポットは、一つの空間を複数の者が分け合って同時に使用できるような装置および回線と、リラックスして楽しんだり、休める調度品から構成されている。テレビジョン、パーソナルコンピュータ、ＤＶＤプレーヤー、ビデオプレーヤー、ＣＤプレーヤー、ゲーム装置、カラオケ装置は、ディスプレイ、公衆電話回線、有線回線等に接続されていると同時に、前記スペースシェアリングスポット内に任意のものが複数個同時に動作できるように接続されている。
【００４７】
前記スペースシェアリングスポット内の壁面には、大型スクリーンやディスプレイ等が配置され、部屋の中ほどには、大型スクリーンやディスプレイが見易いようにリラクゼーション装置（音楽、音、振動、叩く等が行われる装置）、室内浄化装置（マイナスイオン発生装置、たばこ消臭装置、防音装置等）、テーブル、および椅子が配置されている。
【００４８】
また、前記各装置の内の一部には、同時に複数の者が使用できる出力部が備えられている。前記スペースシェアリングスポットは、複数の者が集まることにより、お互いの連帯感を味わいながら、各自が好きなことを勝手に行うことができるというものである。
【００４９】
（第８発明）
第８発明のスペースシェアリングスポットにおける一部の装置は、複数のヘッドホンが取り付けられる出力部を備えている。集まった者の数人は、同じ目的を達成したいという考えがある場合のために、たとえば、ＤＶＤプレーヤーの音声（音楽、音響等も含む）出力端子を複数にし、そこに各自のヘッドホンの端子を差し込めるようにしておく。
【００５０】
（第９発明）
第９発明のスペースシェアリングスポットは、多目的に多数の者が利用するために、複雑な料金の計算が容易にできるようになっている。入力手段は、たとえば、部屋番号（空間の大きさ）、使用する者の数、使用する装置、使用時間を入力し、これらの情報が料金の基になる。前記料金の計算は、たとえば、ＩＣカード等によって簡単に達成できる。
【００５１】
単価記憶手段（たとえば、一人当たりの利用単価、または設備および部屋の利用単価）は、予め前記空間の大きさと使用人数による単価料金が記憶されている。アイテム単価記憶手段は、装置に使用するソフトウエアの単価が記憶されている。料金演算手段は、前記入力手段から入力された使用人数、使用装置により基本料金を演算する。
【００５２】
第９発明のスペースシェアリングスポットは、前記各記憶手段に記憶されている情報を基にして、パーソナルコンピュータが複雑な演算を容易に、かつ、迅速に行うことができる。
【００５３】
（第１０発明）
第１０発明のスペースシェアリングスポットは、その時々の盛り上がりにより、決められた時間を延長したい場合、あるいは延長してしまった場合の追加料金を演算するためのものである。使用時間入力手段は、たとえば、単にタイムカード方式とすることで、入室の時間から超過時間が決められる。
【００５４】
追加料金演算手段は、最初に入力手段によって入力された部屋番号（空間の大きさ）、使用する者の数、使用する装置等の情報を基にして、追加料金を演算する。最初入室の際に、使用者は、入力手段によって入力された情報が、たとえば、ＩＣカード等に入力されており、退室の際に、前記ＩＣカードを前記追加料金演算手段に入れることにより、入室の際の情報を基にして、追加料金が自動的に演算されるようにすることができる。
【００５５】
（第１１発明）
第１１発明のスペースシェアリングスポットは、多くの人が利用したい時間帯、曜日、季節等、あるいは利用者が少ない時間帯、曜日、季節等によって異なる料金として、合理的な経営ができるようになっている。すなわち、特別料金演算手段は、時間帯、曜日、季節等によって、予め空間を利用する費用を設定しておくことにより処理される。
【００５６】
（第１２発明）
第１２発明のスペースシェアリングスポットは、たとえば、テレビジョン、パーソナルコンピュータ、ＤＶＤプレーヤー、ビデオプレーヤー、ＣＤプレーヤー、ゲーム装置、カラオケ装置等が有線回線または無線回線によって配信センターに接続できるようになっている。前記各装置は、使用者の希望により、携帯電話機の暗証番号により、特定の配信センター等から画像等が配信される。携帯電話機による情報の配信は、料金を電話代として徴収した方が便利である。
【００５７】
（第１３発明）
第１３発明のスペースシェアリングスポットは、配信されて来た情報をＤＶＤ等に記憶して販売できるようなシステムになっている。すなわち、前記配信された情報は、記憶手段により、媒体に記憶される。前記配信された情報は、その単価が単価記憶手段に記憶されており、前記単価記憶手段の価格を基にして、料金が料金演算手段によって演算される。
【００５８】
第１３発明のスペースシェアリングスポットは、前記配信された情報を物販するが、前記物販が配信された情報に限らない。たとえば、前記物販は、多数の者が連帯感を強めながらコミニュケーションができる飲食物であっても良い。たとえば、飲食物を採りたい場合、スペースシェアリングスポットの利用者は、採りたい飲食物のメニューを見て、それぞれの希望するメニューが飲食物メニュー入力手段から入力される。
【００５９】
前記飲食物料金演算手段は、前記入力された飲食物のメニューを飲食物料金記憶手段に基づいて、追加料金として演算する。たとえば、前記追加料金は、前記ＩＣカードに記憶され、退室の際に、清算される。以上のように、本発明は、複雑な料金体系であっても、単に入力手段からの入力によって、容易に演算ができるだけでなく、多数の者が連帯感を味わいながら、自分勝手に好きな装置を使用して楽しむことができる。
【００６０】
（第１４発明）
前記空間は、たとえば、トレーラー等に載せることにより、移動ができるようになっている。前記トレーラーに載せられた空間は、競合相手が多くなった場合等、収益の多そうな場所に自由に移動が可能である。
【００６１】
（第１５発明）
第１５発明は、人手を少なくするために、部屋の利用状況を記憶する部屋の利用状況記憶手段による情報に基づいて、人数入力手段と、使用装置入力手段とからの情報とを比較して、所望の装置を備え、かつ所望の人数が入る部屋が自動的に選択できるようになっている。また、前記選択された部屋は、前記選択と同時に部屋ロック解錠手段によって解錠される。
【実施例１】
【００６２】
図１は本発明の第１実施例で、スペースシェアリングスポットにおける設備の一例を説明するための図である。図１において、スペースシェアリングスポット（空間、部屋、ボックス）１１は、防音装置が施された空間、部屋、大きな建物内、あるいは、移動可能な物（たとえば、電車、バス、船、コンテナー等）から構成することができる。
【００６３】
前記スペースシェアリングスポット１１の内部には、パーソナルコンピュータ１１１と、前記パーソナルコンピュータ１１１等に使用できる複数の音声出力端子１１２′を有するディスプレイ１１２と、複数の音声出力端子１１３′を有するプラズマテレビジョン１１３と、大型スクリーン１１４と、ＤＶＤプレーヤー１１５と、ビデオプレーヤー１１６と、ＣＤプレーヤー１１７と、複数の音声出力端子１１８′を有するカラオケ装置１１８と、複数の音声出力端子１１９′を有するゲーム装置１１９と、部屋の内部や人を写し、他の空間へ画像を送るためのカメラ１２０と、音楽や画像等を送信または配信するための公衆電話回線１２１と、有線回線１２２と、無線回線１２３と、で画像や音楽等の配信された情報を記憶する画像・音楽等配信記憶装置１２４と、前記配信された情報を再生する再生装置１２５と、前記空間に設置された室内浄化装置１２６、リラクゼーション装置１２７、その他の調度品が備えられている。
【００６４】
なお、前記各装置は、後述する管理装置によって管理されているか、あるいは、各装置に課金装置が備えられ、利用者のＩＣカードや携帯電話機等で識別でき、使用者が好みの態様によって支払いができる。専用のＩＣカードは、たとえば、入室の際に入室時間、人数、部屋、利用装置等が入力され、各装置の利用が可能であり、退室の際に、退室時間と利用機器が判り、これらに基づいて課金されるようになっている。
【００６５】
携帯電話機を使用する場合は、携帯電話機固有番号等を暗証番号とし、携帯電話機からの信号により各装置を稼働させることができ、電話料金とともに、契約されている電話機会社から請求され、スペースシェアリングスポット１１等の使用料が電話機会社からスペースシェアリングスポット１１側に支払われる。
【００６６】
前記スペースシェアリングスポット１１におけるパーソナルコンピュータ１１１は、必要に応じて、他の各装置を制御できるように接続されている。また、前記パーソナルコンピュータ１１１およびその他の各装置は、図示されていない、管理手段または制御手段によって管理または制御されている。
【００６７】
また、前記スペースシェアリングスポット１１は、内部に防音装置が施されているだけでなく、タバコの消臭装置が備え付けられている。さらに、前記スペースシェアリングスポット１１は、内部の壁等に癒し系の壁紙を使用したり、あるいは、大勢が集まった時に盛り上がるように工夫されている。
【００６８】
前記スペースシェアリングスポット１１における各装置は、複数の音声出力端子を備えており、複数の者が異なる装置または同じ装置を共有することができる。前記スペースシェアリングスポット１１は、前記各装置を使用するだけでなく、リラクゼーション装置１２７を使用するだけであったり、大勢の者とは別に本を読んだり、勉強をすることもできる。
【００６９】
前記スペースシェアリングスポット１１における有線回線または無線回線を介して配信された画像や音楽等は、画像・音楽等配信記憶装置１２４に一旦記憶され、再生装置１２５によって、たとえば、ＣＤやＤＶＤ等に複写することができる。前記ＤＶＤ等は、物販の一つとして、前記再生装置１２５の再生時に課金されるようにする。前記課金は、パーソナルコンピュータ１１１による支払い、退室時の支払い、または電話料金と共に支払うことができる。前記再生装置１２５は、前記専用のＩＣカードや携帯電話機の暗証番号によって使用が可能になるため、著作権料も確実に取ることができる。
【００７０】
図２は本発明の実施例で、スペースシェアリングスポットを利用する際に課金等を行なうための管理装置を説明するための図である。図２において、スペースシェアリングスポット（部屋、空間、ボックス、・・・）の管理装置は、部屋を例にして説明する。前記管理装置は、利用価格等を記憶する記憶手段と、利用する者によって異なる条件等を設定または入力する入力手段と、料金を演算する演算手段と、部屋選択手段２２０と、部屋のロックを解錠する部屋ロック解錠手段２２１と、表示手段２２２と、タイマー２２３とから構成されている。
【００７１】
前記記憶手段は、前記部屋を使用する一人当たりの利用単価が記憶されている一人当たりの利用単価記憶手段２１１と、前記部屋に設置されている設備および部屋の大きさ等で決まる設備および部屋の単価記憶手段２１２と、前記部屋を使用する時間帯、季節、曜日等で決まる時期係数記憶手段２１７と、利用者が入室する際に支払う基本料金を記憶する基本料金出力・記憶手段２１８と、利用者が利用するアイテムの単価を記憶するアイテム単価記憶手段２２６と、部屋の利用状況を記憶しておく部屋の利用状況記憶手段２１９とから構成されている。
【００７２】
設定または入力する入力手段は、部屋の利用人数を入力する人数入力手段２１３と、使用する装置名を入力する使用装置入力手段２１４と、時期やその時期における価格等の係数を設定する設定手段２１６と、使用したソフトウエアや装置等を入力するアイテム入力手段２２４と、配信された情報が記憶された媒体名、あるいは飲食物等を購入する際にメニューを入力する物販入力手段２２５とから構成される。
【００７３】
料金を演算する演算手段は、基本料金演算手段２１５と、追加料金演算手段２２７とから構成されている。また、前記表示手段２２２は、各入力手段からの入力情報が表示されるだけでなく、基本料金出力・記憶手段２１８の情報、部屋の利用状況記憶手段２１９の情報、部屋選択手段２２０の情報、追加料金出力手段２２８の情報等が表示される。
【００７４】
図３は本発明の実施例で、スペースシェアリングスポットの使用申し込みから退室して追加料金を支払う際の一例を説明するためのフローチャートである。図２および図３において、先ず利用者は、前記スペースシェアリングスポット（空間）を利用するために、申し込みを行なう（ステップ３１１）。
【００７５】
利用者は、人数入力手段２１３から申し込み人数を入力する（ステップ３１２）。次に、前記利用者は、使用装置入力手段２１４から使用を希望する装置名を入力することにより、管理装置における図示されていない制御装置が前記人数と使用アイテムに合った部屋があるか否かを調べる（ステップ３１３）。
【００７６】
基本料金演算手段２１５は、前記人数入力手段２１３および使用装置入力手段２１４からの入力情報と、一人当たりの利用単価記憶手段２１１、設備および部屋の単価記憶手段２１２、および予め設定手段２１６によって設定されている時期係数記憶手段２１７に記憶されている情報とを基にして基本料金を演算し、基本料金出力・記憶手段２１８に出力するとともに記憶する（ステップ３１４）。
【００７７】
利用者は、前記基本料金演算手段２１５によって演算された料金を表示手段２２２によって確認した後、この料金で良いか否かを決定する（ステップ３１５）。前記利用者は、前記基本料金で良い場合、前記基本料金を支払う（ステップ３１６）。前記基本料金が高い場合、ステップ３１３に戻り、使用するアイテムを減らすか、使用人数にとって窮屈な部屋で我慢するか否かを検討する。
【００７８】
人数およびアイテム等を入力した後、基本料金が支払われると、部屋の利用状況記憶手段２１９からの情報が表示手段２２２に表示される（ステップ３１７）。管理人は、前記表示手段２２２を見て部屋が空いていることを確認し、その部屋の鍵を解錠する（ステップ３１８）。
【００７９】
利用者は、前記部屋に入ってしまえば、設備や装置を壊さない限り、基本的には何を行ってもかまわない。前記利用者は、ソフトウエアの追加、あるいは新たな装置の利用を行いたい場合、アイテム入力手段２２４から入力する（ステップ３１９）。
【００８０】
アイテムの入力は、アイテム単価記憶手段２２６に記憶されている情報が追加料金演算手段２２７に送られ、一時記憶される。前記アイテムの入力は、物販であるか否かを図示されていない制御装置が調べる（ステップ３２０）。前記制御装置は、物販であると判断した場合、利用者に物販名の入力を促す。利用者は、ほしい物販名（たとえば、ＣＤやＤＶＤ、あるいは食物のメニュー等）を入力する（ステップ３２１）。
【００８１】
利用者は、互いに好き勝手なことをした後、退室する（ステップ３２２）。前記利用者は、退室した後、管理部を通過する際に、たとえば、専用のＩＣカード等を入力することにより、使用時間も自動的に入力され、前記アイテムの追加料金がある場合、加算されて表示手段２２２に表示される（ステップ３２３、ステップ３２４）。
【００８２】
利用者は、表示手段２２２の金額を見て追加料金を支払う（ステップ３２５）。また、利用者は、追加料金の支払いを前記専用のＩＣカード以外に、携帯電話機から電話料の一部といった形での支払い、その他、クレジットカード等、公知の支払い手段を使用することができる。
【実施例２】
【００８３】
図４は本発明の第２実施例で、スペース管理部を説明するための図である。図４において、スペース管理部４１１は、情報送受信部４１２、情報配信部４１３、４１４からの情報が各スペース４１５ないし４１ｎに接続された状態を監視できるようになっている。また、スペース管理部４１１は、部屋の大きさとその内部に設置された装置名等を管理し、少なくとも前記表示手段２２２に表示できるようになっている。
【００８４】
図５は本発明の第２実施例におけるスペース管理部を詳細に説明するための図である。図５において、スペース管理部は、人数・アイテム等を入力する各入力手段５１１と、人数の管理を行う人数管理手段５１２と、部屋の使用状態を管理する部屋管理手段５１３と、利用者の入室から退室までの時間を管理する時間管理手段５１４と、配信されたアイテム名および利用時間等を管理する配信アイテム管理手段５１５と、物販名や物販の単価が記憶されている物販管理手段５１６と、季節や使用時期により使用料を決める特別時間管理手段５１７等を備えている。
【００８５】
スペース管理部は、料金の単価テーブルを記憶した単価テーブル記憶手段５１８と統計処理手段５２１を備えている。単価テーブル記憶手段５１８に予め記憶されているテーブルは、各手段の情報に基づいて料金演算手段５１９が料金を演算し、料金出力・記憶手段５２０に記憶する。また、前記料金演算手段５１９による演算結果は、表示手段５２２に表示される。
【００８６】
統計処理手段５２１は、各手段の情報に基づいて統計処理を行い、表示手段５２２に表示される。前記統計結果は、スペースシェアリングスポットにおける経営の向上に効果を発揮する。
【産業上の利用可能性】
【００８７】
以上、本実施例を詳述したが、本発明は、前記本実施例に限定されるものではなく、特許請求の範囲に記載されている事項を逸脱することがなければ、種々の設計変更を行うことが可能である。たとえば、本発明のブロック構成図におけるブロックは、周知または公知の技術によって達成できるものである。
【００８８】
また、本発明のスペースシェアリングスポットの管理は、特許請求の範囲に記載された事項を逸脱しない限り、情報の記憶や料金の演算を変更することができる。本発明の料金の課金手段は、専用ＩＣカード、クレジットカード、デビットカード等のカード、携帯電話機を使用した暗証番号またはバーコード、その他、周知または公知の技術を利用することができる。
【図面の簡単な説明】
【００８９】
【図１】本発明の第１実施例で、スペースシェアリングスポットにおける設備の一例を説明するための図である。（実施例１）
【図２】本発明の実施例で、スペースシェアリングスポットを利用する際に課金等を行なうための管理装置を説明するための図である。
【図３】本発明の実施例で、スペースシェアリングスポットの使用申し込みから退室して追加料金を支払う際の一例を説明するためのフローチャートである。
【図４】本発明の第２実施例で、スペース管理部を説明するための図である。（実施例２）
【図５】本発明の第２実施例におけるスペース管理部を詳細に説明するための図である。
【符号の説明】
【００９０】
１１・・・スペースシェアリングスポット
１１１・・・パーソナルコンピュータ
１１２・・・ディスプレイ
１１３・・・プラズマテレビジョン
１１４・・・大型スクリーン
１１５・・・ＤＶＤプレーヤー
１１６・・・ビデオプレーヤー
１１７・・・ＣＤプレーヤー
１１８・・・カラオケ装置
１１９・・・ゲーム装置
１２０・・・カメラ
１２１・・・公衆電話回線
１２２・・・有線回線
１２３・・・無線回線
１２４・・・画像・音楽等配信記憶装置
１２５・・・再生装置
１２６・・・室内浄化装置（マイナスイオン）
１２７・・・リラクゼーション装置
２１１・・・一人当たりの利用単価記憶手段
２１２・・・設備および部屋の単価記憶手段
２１３・・・人数入力手段
２１４・・・使用装置入力手段
２１５・・・基本料金演算手段
２１６・・・設定手段
２１７・・・時期係数記憶手段
２１８・・・基本料金出力・記憶手段
２１９・・・部屋の利用状況記憶手段
２２０・・・部屋選択手段
２２１・・・部屋ロック解錠手段
２２２・・・表示手段
２２３・・・タイマー
２２４・・・アイテム入力手段
２２５・・・物販入力手段
２２６・・・アイテム単価記憶手段
２２７・・・追加料金演算手段
２２８・・・追加料金出力手段
【図１】
2005249836.tif 000003
【図２】
2005249836.tif 000004
【図３】
2005249836.tif 000005
【図４】
2005249836.tif 000006
【図５】
2005249836.tif 000007